(57)【要約】【課題】  枠体の所望の位置に、容易に表示パネルを取り付けることができる取り付け装置を提供する。【解決手段】  表示パネルの取り付け装置は、表示パネルを枠体に取り付けるための表示パネルの取り付け装置において、セットプレート１と、セットプレート１に配置され、矢印８１に示す方向に移動可能な第１棒状部２３を含む第１位置決め部材２と、セットプレート１に配置され、矢印８２に示す方向に移動可能な第２棒状部３３を含む第２位置決め部材３と、枠体を固定するための当接部５および第３位置決め部材４とを備える。第１位置決め部材２および第２位置決め部材３は、第１棒状部２３および第２棒状部３３が、それぞれ枠体に対向するように配置されている。【選択図】        図３
2006243469.tif 000002
【特許請求の範囲】
【請求項１】
表示パネルを枠体に取り付けるための表示パネルの取り付け装置において、
基体と、
前記基体に配置され、一の方向に移動可能な第１棒状部を含む第１位置決め部材と、
前記基体に配置され、前記一の方向と異なる方向に移動可能な第２棒状部を含む第２位置決め部材と、
前記枠体を固定するための固定手段と
を備え、
前記第１位置決め部材および前記第２位置決め部材は、前記第１棒状部および前記第２棒状部が、前記枠体に対向するように配置された、表示パネルの取り付け装置。
【請求項２】
前記基体は、前記一の方向と垂直な方向に延びる第１ガイドレールと、
前記一の方向に延びるように形成された第２ガイドレールと
を含み、
前記第１位置決め部材は、前記第１ガイドレールに沿って移動可能に形成され、
前記第２位置決め部材は、前記第２ガイドレールに沿って移動可能に形成された、請求項１に記載の表示パネルの取り付け装置。
【請求項３】
前記基体は、一の側から延びるように形成された第３ガイドレールを含み、
前記固定手段は、前記一の側に配置され、前記枠体の前記一の側を当接させるための当接部と、
前記第３のガイドレールに沿って移動可能に形成され、前記一の側と反対側から前記枠体を挟むように固定するための第３位置決め部材と
を含み、
前記第３位置決め部材は、平面形状がＬ字形に形成され、
前記第３位置決め部材は、前記一の方向に延びる部分と、前記一の方向と垂直な方向に延びる部分とを有する、請求項１に記載の表示パネルの取り付け装置。
【請求項４】
前記第１位置決め部材は、前記第１棒状部の高さを変更できるように形成され、
前記第２位置決め部材は、前記第２棒状部の高さを変更できるように形成された、請求項１に記載の表示パネルの取り付け装置。
【請求項５】
表示パネルを枠体に取り付けるための取り付け方法において、
第１棒状物を挿入できるように、前記枠体に第１切欠き部を形成する工程と、
第２棒状物を挿入できるように、前記枠体に第２切欠き部を形成する工程と、
前記枠体を固定する工程と、
前記第１切欠き部を通して、一の方向から前記第１棒状物を前記枠体の内側に挿入する工程と、
前記第２切欠き部を通して、前記一の方向と異なる方向から前記第２棒状物を前記枠体の内側に挿入する工程と、
前記表示パネルを前記枠体の内側に配置する配置工程と
を含み、
前記配置工程は、前記第１棒状物および前記第２棒状物に対して、前記表示パネルを当接させながら行なう、表示パネルの取り付け方法。
【発明の詳細な説明】
【技術分野】
【０００１】
本発明は、表示パネルを枠体に取り付けるための取り付け装置および取り付け方法に関する。
【背景技術】
【０００２】
表示装置には、表示パネルが枠体に固定されている構成を有するものがある。たとえば、表示パネルのバックライトを備える表示装置は、表示パネルがバックライトを含む枠体に固定されている。
【０００３】
液晶表示装置においては、透過型または半透過型の液晶表示装置がバックライトを備える。これらの表示装置は、後側の枠体としてバックライトを含むライトユニット、液晶が封入された貼り合せ基板、および前側の枠体を備える。ライトユニットには、たとえば、光源としてのＬＥＤ（Light Emitting Diode）、表示領域全体に均一かつ高輝度に光を発するための導光板、レンズシート、および拡散シートなどが含まれる。貼り合せ基板は、２枚の基板がシール材によって貼り合せられ、２枚の基板およびシール材に囲まれる空間に液晶が封入されている。また、それぞれの基板には、画素電極層、対向電極層およびカラーフィルムなどが形成されている。
【０００４】
また、バックライトを有しない自発光型の表示装置においては、表示パネルが枠体としての外側の筐体などに固定される。たとえば、有機ＥＬ（Electro Luminescence）表示装置においては、表示パネルが筐体に固定される。
【０００５】
このような表示装置においては、枠体にライトユニットなどの必要な部品が配置され、この後に表示パネルが枠体に固定される。表示パネルの固定に際しては、両面テープなどが用いられる。
【０００６】
従来の技術における表示装置の組立工程においては、人が目視によって、枠体の辺と表示パネルの外縁の辺とを比較することにより、枠体における表示パネルの位置を調整していた。この方法においては、枠体の辺を基準にして表示パネルの位置を定めるため、枠体の辺と表示パネルの外縁の辺との距離の調整が難しく、表示パネルを取り付ける位置にずれが生じるという問題があった。
【０００７】
特開２００３−１５７０２３号公報においては、枠体の位置決めリブの内縁を傾斜させた傾斜部を有する液晶表示装置が開示されている。この液晶表示装置においては、表示パネルに対応した嵌め込み凹部が枠体に形成され、嵌め込み凹部の側壁に傾斜部が形成されている。この液晶表示装置においては、液晶表示パネルの一の側縁を、枠体の傾斜部に当接させながら他の側縁を枠体の嵌め込み凹部に嵌め込む。枠体の嵌め込み凹部に液晶表示パネルを取り付ける際の位置ずれを防止できると開示されている。
【０００８】
特開２０００−１９５１１号公報においては、液晶表示パネルの角となる部分に面取り端面を形成して、さらに、バックライトフレームにその面取り端面と係合するように突起部を形成した液晶表示装置が開示されている。この液晶表示装置においては、液晶表示パネルとバックライトフレームとを容易に位置決めすることができると開示されている。
【０００９】
さらに、特開２００２−１９６３１２号公報においては、下フレームに柱状部材を形成して、光学シートに柱状部材に対応するように貫通孔を形成した液晶表示装置が開示されている。液晶表示パネルは、柱状部材によって位置決めされるように形成されている。この液晶表示装置においては、下フレームでの光学シートの位置決めを確実にするとともに、液晶表示パネルの位置決めガイドと光学シートの位置決め手段とを共通化することができ、搬送時や輸送時に下フレームに配置された光学シートが外れることを抑制できると開示されている。
【特許文献１】特開２００３−１５７０２３号公報
【特許文献２】特開２０００−１９５１１号公報
【特許文献３】特開２００２−１９６３１２号公報
【発明の開示】
【発明が解決しようとする課題】
【００１０】
従来の技術において、人が目視によって枠体における表示パネルの位置を定める方法においては、たとえば、枠体の辺を基準にして位置を定めるため、表示パネルを枠体に固定する際に位置ずれが生じるという問題があった。また、貼り付ける位置が人によって異なる場合があるという問題があった。
【００１１】
上記の特許文献においては、それぞれの枠体に、突起物や柱状部材を形成することにより、または、枠体に凹んだ部分を形成することにより、液晶表示パネルの固定位置を定めている。このような構成においては、枠体に突起物や柱状部材などを形成する必要があり、枠体の構成が複雑になるという問題があった。
【００１２】
また、たとえば柱状部材を形成して、柱状部材で表示パネルの外縁の位置を定める場合においては、製作誤差により柱状部材と表示パネルとの間に隙間が生じたり、柱状部材の内側に表示パネルを挿入することができなかったりするという問題があった。特に、柱状部材、突起物または凹んだ部分の製造誤差に起因して、液晶表示パネルが所定の位置からずれた位置に固定される場合があるという問題があった。
【００１３】
また、枠体に突起物や柱状部材を形成する構成においては、それぞれの外枠に突起物などを形成する必要があり、たとえば、表示パネルの形状が変更になった場合には、その表示パネルに対応する突起物などを有する枠体を新たに形成する必要があるという問題があった。すなわち、液晶表示パネルの形状に対する汎用性がないという問題があった。たとえば、表示パネルの軽微な設計変更などにより、液晶表示パネルの大きさが僅かに小さくなった場合においても、新たな枠体を作り直さなければならないという問題があった。
【００１４】
本発明は、枠体の所望の位置に、容易に表示パネルを取り付けることができる取り付け装置および取り付け方法を提供することを目的とする。
【課題を解決するための手段】
【００１５】
本発明に基づく表示パネルの取り付け装置は、表示パネルを枠体に取り付けるための表示パネルの取り付け装置において、基体と、上記基体に配置され、一の方向に移動可能な第１棒状部を含む第１位置決め部材と、上記基体に配置され、上記一の方向と異なる方向に移動可能な第２棒状部を含む第２位置決め部材と、上記枠体を固定するための固定手段とを備える。上記第１位置決め部材および上記第２位置決め部材は、上記第１棒状部および上記第２棒状部が、上記枠体に対向するように配置されている。この構成を採用することにより、上記枠体の所望の位置に、容易に表示パネルを取り付けることができる取り付け装置を提供することができる。
【００１６】
上記発明において好ましくは、上記基体は、上記一の方向と垂直な方向に延びる第１ガイドレールと、上記一の方向に延びるように形成された第２ガイドレールとを含む。上記第１位置決め部材は、上記第１ガイドレールに沿って移動可能に形成され、上記第２位置決め部材は、上記第２ガイドレールに沿って移動可能に形成されている。この構成を採用することにより、大きさの異なる上記表示パネルまたは上記枠体を有する表示装置の製造に上記取り付け装置を用いることができる。
【００１７】
上記発明において好ましくは、上記基体は、一の側から延びるように形成された第３ガイドレールを含み、上記固定手段は、上記一の側に配置され、上記枠体の上記一の側を当接させるための当接部と、上記第３のガイドレールに沿って移動可能に形成され、上記一の側と反対側から上記枠体を挟むように固定するための第３位置決め部材とを含む。上記第３位置決め部材は、平面形状がＬ字形に形成され、上記第３位置決め部材は、上記一の方向に延びる部分と、上記一の方向と垂直な方向に延びる部分とを有する。この構成を採用することにより、上記固定手段を容易に形成することができる。また、容易に上記表示パネルを上記取り付け装置に固定したり取り外したりすることができる。
【００１８】
上記発明において好ましくは、上記第１位置決め部材は、上記第１棒状部の高さを変更できるように形成され、上記第２位置決め部材は、上記第２棒状部の高さを変更できるように形成されている。この構成を採用することにより、厚さの異なる上記表示装置に対して上記取り付け装置を用いることができる。
【００１９】
本発明に基づく表示パネルの取り付け方法は、表示パネルを枠体に取り付けるための取り付け方法において、第１棒状物を挿入できるように、上記枠体に第１切欠き部を形成する工程と、第２棒状物を挿入できるように、上記枠体に第２切欠き部を形成する工程とを含む。さらに、上記枠体を固定する工程と、上記第１切欠き部を通して、一の方向から上記第１棒状物を上記枠体の内側に挿入する工程と、上記第２切欠き部を通して、上記一の方向と異なる方向から上記第２棒状物を上記枠体の内側に挿入する工程と、上記表示パネルを上記枠体の内側に配置する配置工程とを含む。上記配置工程は、上記第１棒状物および上記第２棒状物に対して、上記表示パネルを当接させながら行なう。この方法を採用することにより、上記枠体の所望の位置に、容易に上記表示パネルを取り付けることができる。
【発明の効果】
【００２０】
本発明によれば、枠体の所望の位置に、容易に表示パネルを取り付けることができる取り付け装置および取り付け方法を提供することができる。
【発明を実施するための最良の形態】
【００２１】
図１から図１１を参照して、本発明に基づく実施の形態における取り付け装置および取り付け方法について説明する。
【００２２】
図１は、本実施の形態における枠体に表示パネルを取り付けるための取り付け装置の概略平面図である。図２は、本実施の形態における取り付け装置の概略正面図である。本実施の形態における表示パネルの取り付け装置は、平面形状がほぼ四角形の枠体および表示パネルの取り付け装置である。
【００２３】
図１および図２を参照して、本実施の形態における取り付け装置は、基体としてのセットプレート１と、セットプレート１に配置された第１位置決め部材２と、セットプレート１に配置された第２位置決め部材３とを備える。また、取り付け装置は、枠体を固定するための固定手段として、当接部５と第３位置決め部材４とを含む。本実施の形態においては、矢印８１に示す方向を「一の方向」と言い、矢印８２に示す方向を「一の方向と垂直な方向」と言う。
【００２４】
セットプレート１は板状に形成され、セットプレート１の上面は平面状に形成されている。セットプレート１には、一の方向と垂直な方向に延びるガイドレール１５と、一の方向に延びる第２ガイドレール１６とを含む。第１ガイドレール１５と第２ガイドレール１６とは、それぞれの延びる方向が互いに垂直になるように形成されている。
【００２５】
第１位置決め部材２は、第１ガイドレール１５に沿って移動可能に形成されている。第１位置決め部材２は、ガイドレール１５に嵌合して移動可能なように形成されている。第２位置決め部材３は、第２ガイドレール１６に沿って移動可能に形成されている。第２位置決め部材３は、第２ガイドレール１６に嵌合して移動可能なように形成されている。
【００２６】
セットプレート１には、矢印８３に示すように、一の側から延びるように形成された第３ガイドレール１７を含む。第３ガイドレール１７は、第１ガイドレール１５が延びる方向と第２ガイドレール１６が延びる方向とを２等分して延びるように形成されている。
【００２７】
セットプレート１の表面には、第３ガイドレール１７の上記一の側に、当接部５が配置されている。当接部５は、配置されるべき枠体の上記一の側を当接させることができるように形成されている。本実施の形態においては、当接部５は、平面視したときにＬ字形に形成され、枠体の角が当接するように形成されている。当接部５は、セットプレート１に固定されている。
【００２８】
第３位置決め部材４は、第３ガイドレール１７に沿って移動可能なように形成されている。第３位置決め部材４は、第３ガイドレール１７に嵌合して、矢印８３に示す方向に移動可能に形成されている。
【００２９】
本実施の形態における固定手段は、平面形状が四角形の枠体をセットプレート１の表面に配置したときに、１つの角の部分に当接部５が配置され、上記角の部分と反対側に、第３位置決め部材４が配置されている。枠体を当接部５と第３位置決め部材４とで挟み込むことができるように形成されている。
【００３０】
第１位置決め部材２および第２位置決め部材３は、平面形状が四角形の枠体をセットプレート１の表面に配置したときに、枠体の外縁に沿って移動可能に形成されている。
【００３１】
図３に、本実施の形態における取り付け装置の当接部の部分の拡大斜視図を示す。図１から図３を参照して、本実施の形態における第１位置決め部材２は、第１位置決め部材２を、セットプレート１を固定するための固定ネジ２１を含む。第１位置決め部材２は、固定ネジ２１を締め込むことによって、第１ガイドレール１５に沿った任意の位置に第１位置決め部材２を固定できるように形成されている。
【００３２】
また、第２位置決め部材３も同様に、固定ネジ３１を締め付けることによって、第２ガイドレール１６に沿った任意の位置に、第２位置決め部材３を固定することができるように形成されている。
【００３３】
図４に、第１位置決め部材をセットプレートから取り外したときの概略斜視図を示す。第１位置決め部材２は、下部に嵌合部２５が形成されている。嵌合部２５は、第１ガイドレールの形状に沿うように形成されている。第１位置決め部材２は、敷板２４を有する。敷板２４は、厚さの異なるものに取換え可能に形成されている。敷板２４を厚さの異なるものに取換えることによって、第１棒状部２３のセットプレートの上面からの高さを変更することができるように形成されている。
【００３４】
第１位置決め部材２は、矢印７７に示す方向に移動可能な第１棒状部２３を含む。第１棒状部２３は、第１棒状物として形成されている。第１棒状部２３は、反対側に配置された調整ネジ２２と接続され、調整ネジ２２を回転することにより、第１棒状部２３が飛び出す方向に移動したり、また飛び出す方向と反対側に移動したりできるように形成されている。第１棒状部２３の先端部には、鍔部２６が形成されている。鍔部２６は、鍔部２６を枠体の側面に接触させたときに、第１棒状部２３の端面が液晶表示パネルの側面の位置になるように形成されている。
【００３５】
図３を参照して、第１棒状部２３は、矢印８１に示す一の方向に移動可能なように形成されている。すなわち、配置される枠体に向かって移動可能なように形成されている。
【００３６】
第２位置決め部材３は、第１位置決め部材２と同じ構成を有する。すなわち、第２位置決め部材３は、第２棒状部３３、調整ネジ３２および敷板３４を含む。第２棒状部３３は、第２棒状物として形成されている。調整ネジ３２を回すことによって、第２棒状部３３が、一の方向と垂直な矢印８２に示す方向に、移動可能なように形成されている。また、敷板３４を取換えることにより、第２棒状部３３のセットプレート１の上面からの高さを変更することができるように形成されている。
【００３７】
図１から図３を参照して、本実施の形態における第３位置決め部材４は、平面視したときにＬ字形に形成されている。第３位置決め部材４は、支持体４０を含む。支持体４０は、平面視したときにＬ字形に形成されている。支持体４０は、外枠の平面形状の四角形の角の形状に対応するように形成されている。
【００３８】
第３位置決め部材４は、支持体４０から矢印８１に示す一の方向に延びる部分と、支持体４０から一の方向と垂直な方向に延びる部分とを有する。一の方向に延びる部分は、支持棒４２ａと、支持棒４２ａの先端に配置されたガイドブロック４３ａとを有する。ガイドブロック４３ａは、直方体状に形成され、一の面が支持体４０の内側面と同一平面状になるように形成されている。
【００３９】
一の方向と垂直な方向に延びる部分は、支持棒４２ｂと、支持棒４２ｂの先端に配置されたガイドブロック４３ｂとを有する。ガイドブロック４３ｂは、直方体状に形成され、一の面が支持体４０の内側面と同一平面状になるように形成されている。
【００４０】
ガイドブロック４３ａ，４３ｂは、枠体を支持体４０の内側面に当接させたときに、それぞれのガイドブロック４３ａ，４３ｂの側面が枠体に当接するように形成されている。すなわち、第３位置決め部材４は、支持体４０の内側面と、ガイドブロック４３ａ，４３ｂの側面とで枠体を押さえるように形成されている。
【００４１】
本実施の形態においては、支持棒４２ａ，４２ｂおよびガイドブロック４３ａ，４３ｂはそれぞれが取り替え可能に形成されている。たとえば、大きな液晶表示パネルに対して、本願取り付け装置を使用する場合には、長い支持棒および大きなガイドブロック４３ａ，４３ｂに取り替えることができるように形成されている。
【００４２】
第３位置決め部材は、固定ネジ４１ａ，４１ｂを含む。固定ネジ４１ａ，４１ｂは、締め込むことによって、第３位置決め部材４を第３ガイドレール１７に沿った任意の位置に固定できるように形成されている。
【００４３】
図５に、表示装置の例として、液晶表示装置を分解したときの一部分の分解斜視図を示す。液晶表示パネル５１は、２枚の基板同士が貼り合せられた表示セル５３を含む。表示セル５３の２枚の基板同士の間には液晶が封入されている。表示セル５３の表側の表面には偏光板５４が配置されている。液晶表示パネル５１には、駆動ドライバが形成された駆動部５５が接続される。
【００４４】
液晶表示装置は、ライトユニット５２を含む。ライトユニット５２は、液晶表示パネル５１に対して、光を発光するために形成されている。ライトユニット５２は、裏ケース６３およびパネルケース５７を含む。裏ケース６３およびパネルケース５７の間には、ＬＥＤ−ＦＰＣ（フレキシブルプリント配線板）５８、レンズシート５９、拡散シート６０、導光板６１および反射シート６２が配置されている。
【００４５】
本実施の形態においては、枠体としてのライトユニット５２の表面に、液晶表示パネル５１を固定する。パネルケース５７に液晶表示パネル５１の外形に沿って凹んだ部分が形成され、この凹んだ部分に両面テープによって液晶表示パネル５１を固定する。本実施の形態における凹んだ部分は、取り付けられる液晶表示パネルよりも大きくなるように形成されている。
【００４６】
図６に、本実施の形態におけるライトユニットの概略斜視図を示す。ライトユニット５２は、平面形状がほぼ長方形になるように形成されている。図５に示すように、ライトユニット５２は、パネルケースおよび裏ケースを含み、パネルケースと裏ケースの間には、ＬＥＤ−ＦＰＣや導光板などが配置されている。
【００４７】
本実施の形態においては、はじめに表示パネルを配置する枠体としてのライトユニット５２に、第１切欠き部６７および第２切欠き部６８を形成する。または、図５を参照して、パネルケースおよび裏ケースに第１切欠き部６７および第２切欠き部６８に対応する切欠き部を形成したのちに重ね合わせて固定する。
【００４８】
第１切欠き部６７および第２切欠き部６８は、ライトユニット５２の上部において、液晶表示パネルの側壁となる部分の一部を切欠くように形成する。また、第１切欠き部６７の形成においては、ライトユニット５２を取り付け装置に固定したときに、第１位置決め部材の第１棒状部が挿入できるように形成する。また、同様に、第２切欠き部６８の形成においては、ライトユニット５２を取り付け装置に固定したときに、第２位置決め部材の第２棒状部を挿入できるように形成する。
【００４９】
本実施の形態においては、ライトユニットの液晶表示パネルが当接する面には、両面テープを予め配置しておく（図示せず）。
【００５０】
図７は、枠体としてのライトユニットを取り付け装置に配置したときの概略平面図である。切欠き部６７，６８が形成されたライトユニット５２を、それぞれの切欠き部６７，６８がそれぞれの位置決め部材の棒状部に対向するように固定する。
【００５１】
ライトユニット５２の固定においては、第３位置決め部材４の固定ネジ４１ａ，４１ｂを緩めておき、ライトユニット５２の角の部分を当接部５に当接させる。次に、矢印７１に示す向きに、第３位置決め部材４を移動することにより、第３位置決め部材４と当接部５とでライトユニット５２を挟み込む。この状態で、固定ネジ４１ａ，４１ｂを締めることにより、第３位置決め部材４をセットプレート１に固定するとともにライトユニット５２を固定手段に固定することができる。
【００５２】
ガイドブロック４３ａ，４３ｂは、枠体に当接して枠体を支持することができる。第３位置決め部材が、一の方向に延びる部分と一の方向に垂直な方向に延びる部分とを有し、それぞれが配置される枠体に当接するように形成されていることによって、安定して枠体を固定することができる。
【００５３】
第１位置決め部材２および第３位置決め部材３は、第１棒状部２３および第２棒状部３３が、それぞれの切欠き部６７，６８に対応するように位置を調整しておく。それぞれの位置決め部材の移動においては、それぞれの固定ネジ２１，３１を緩めることによって位置決め部材を移動させ、固定ネジ２１，３１を締めることによって位置決め部材を固定する。
【００５４】
図８は、位置決め部材に形成された棒状部を移動させたときの概略平面図である。ライトユニット５２を固定した後に、矢印７４に示すように、第１位置決め部材２の第１棒状部２３を第１切欠き部６７に挿入する。また、矢印７５に示すように、第２位置決め部材３の第２棒状部３３を第２切欠き部６８に挿入する。それぞれの調整ネジ２２，３２を回転することにより、第１棒状部２３および第２棒状部３３を挿入する。第１棒状部２３および第２棒状部３３は、それぞれの端面の位置が液晶表示パネルの外縁の位置となるように挿入する。
【００５５】
本実施の形態においては、それぞれの棒状部に形成された鍔部が枠体の側面に接触するまで棒状部を枠体に向かって移動させる。鍔部が枠体に接触したときに、棒状部の端面の位置が配置される液晶表示パネルの外縁の位置になる。このように棒状部に鍔部を形成することによって、棒状部を移動する距離を容易に定めることができて生産性が向上する。
【００５６】
図９に、液晶表示パネルをライトユニットに配置するときの概略斜視図を示す。ライトユニット５２に対して液晶表示パネル５１を取り付ける。液晶表示パネルの配置においては、当接部５が配置されている側から挿入した後に、ライトユニット５２の凹んだ部分に配置する。このときに、矢印７２に示すように、液晶表示パネル５１を第１棒状部２３および第２棒状部３３に当接させながら配置する。第１棒状部２３および第２棒状部３３に当接させた状態で矢印７３に示すように液晶表示パネル５１を枠体５２の凹んだ部分に配置する。ライトユニット５２と液晶表示パネル５１とは、両面テープによって互いに固定される。このように、容易にライトユニットに対する位置を定めながら液晶表示パネルを取り付けることができる。
【００５７】
図１０に、ライトユニットに液晶表示パネルを固定したときの概略斜視図を示す。液晶表示パネル５１がライトユニット５２に固定された状態で、それぞれの調整ネジ２２，３２を回転することにより、矢印７８，７９に示すように、第１棒状部２３および第２棒状部３３を退避させる。
【００５８】
図１１に、ライトユニットおよび液晶表示パネルを貼り付け装置から取り外すときの概略斜視図を示す。第１棒状部および第２棒状部３３の退避が完了したら、第３位置決め部材４をライトユニットから退避させる。第３位置決め部材４を退避させることにより、矢印７６に示すように、容易にライトユニットを取り外すことができる。
【００５９】
本実施の形態における表示パネルの取り付け装置は、第１棒状部および第２棒状部が、枠体に対向するように配置され、第１棒状部が一の方向に移動可能なように形成され、第２棒状部が一の方向と異なる方向に移動可能に形成されている。また、枠体を固定するための固定手段を備える。この構成を採用することにより、第１棒状部および第２棒状部が通るように挿入部を形成した枠体に対して、容易に位置を定めながら表示パネルを固定することができる。また、棒状部の枠体に挿入する長さを調整することにより、枠体の任意の位置に表示パネルを配置することができる。枠体に形成する挿入部としては、切欠き部に限られず、たとえば穴部などであってもよい。または、枠体に棒状部の挿入を妨げる部分がない場合には、挿入部が形成されていなくていもよい。
【００６０】
本実施の形態においては、第１棒状部の移動方向と、第２棒状部の移動方向とが互いに垂直になるように形成されているが、この形態に限られず、第１棒状部の移動方向と第２棒状部の移動方向とが異なる方向であれば構わない。
【００６１】
また、本実施の形態においては、基体としてのセットプレートに、第１ガイドレールおよび第２ガイドレールが形成され、第１位置決め部材が、第１ガイドレールに沿って移動可能に形成され、第２位置決め部材が、第２ガイドレールに沿って移動可能に形成されている。この構成を採用することにより、様々な大きさの枠体に対して、本発明の取り付け装置を用いることができる。または、枠体に対して任意の位置に切欠き部や穴部などの挿入部を形成することができる。
【００６２】
さらに、第１位置決め部材は、第１棒状部の高さを変更できるように形成され、第２位置決め部材は、第２棒状部の高さを変更できるように形成されている。この構成を採用することにより、様々な厚さの枠体に本発明の取り付け装置を用いることができる。
【００６３】
本実施の形態における固定手段は、一の側に配置された当接部と、一の側と反対側に配置された第３位置決め部材とを含み、当接部と第３位置決め部材とで枠体を挟み込むように形成されている。この構成を採用することにより、容易に上記の固定手段を形成することができる。また、第３位置決め部材を移動可能に形成することにより、様々な大きさの枠体を容易に固定することができる。
【００６４】
枠体を固定するための固定手段としては、この形態に限られず、基体に対して枠体が固定されるように形成されていればよい。また、基体に配置される位置決め部材は、２個に限られず、より多くの位置決め部材が形成されていても構わない。この場合には、枠体により多くの切欠き部が形成される。
【００６５】
さらに、本実施の形態においては、枠体と表示パネルとを両面テープで固定しているが、この形態に限られず、任意の方法で固定することができる。たとえば、接着材を用いて表示パネルを枠体に取り付けても構わない。
【００６６】
また、本実施の形態においては、平面形状が長方形の液晶表示装置を例に取り上げて説明したが、特にこの形態に限られず、任意の平面形状を有する表示装置に対して本願発明を適用することができる。さらに、表示装置としては液晶表示装置に限られず、表示パネルと枠体とを含む任意の表示装置に対して本願発明を適用することができる。
【００６７】
図面において、同一または相当する部分には、同一の符号を付している。
【００６８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６９】
【図１】実施の形態における取り付け装置の概略平面図である。
【図２】実施の形態における取り付け装置の正面図である。
【図３】実施の形態における取り付け装置の当接部が配置されている部分の拡大斜視図である。
【図４】実施の形態における第１位置決め部材の拡大斜視図である。
【図５】液晶表示装置において、液晶表示パネルおよびライトユニットの部分の概略分解図である。
【図６】実施の形態におけるライトユニットの概略斜視図である。
【図７】実施の形態における表示パネルの取り付け方法の第１工程説明図である。
【図８】実施の形態における表示パネルの取り付け方法の第２工程説明図である。
【図９】実施の形態における表示パネルの取り付け方法の第３工程説明図である。
【図１０】実施の形態における表示パネルの取り付け方法の第４工程説明図である。
【図１１】実施の形態における表示パネルの取り付け方法の第５工程説明図である。
【符号の説明】
【００７０】
１  セットプレート、２  第１位置決め部材、３  第２位置決め部材、４  第３位置決め部材、５  当接部、１５  第１ガイドレール、１６  第２ガイドレール、１７  第３ガイドレール、２１  固定ネジ、２２  調整ネジ、２３  第１棒状部、２４  敷板、２５  嵌合部、２６  鍔部、３１  固定ネジ、３２  調整ネジ、３３  第２棒状部、３４  敷板、４０  支持体、４１ａ，４１ｂ  固定ネジ、４２ａ，４２ｂ  支持棒、４３ａ，４３ｂ  ガイドブロック、５１  液晶表示パネル、５２  ライトユニット、５３  表示セル、５４  偏光板、５５  駆動部、５７  パネルケース、５８  ＬＥＤ−ＦＰＣ、５９  レンズシート、６０  拡散シート、６１  導光板、６２  反射シート、６３  裏ケース、６７  第１切欠き部、６８  第２切欠き部、７１〜７９，８１〜８３  矢印。
【図１】
2006243469.tif 000003
【図２】
2006243469.tif 000004
【図３】
2006243469.tif 000005
【図４】
2006243469.tif 000006
【図５】
2006243469.tif 000007
【図６】
2006243469.tif 000008
【図７】
2006243469.tif 000009
【図８】
2006243469.tif 000010
【図９】
2006243469.tif 000011
【図１０】
2006243469.tif 000012
【図１１】
2006243469.tif 000013